(57)【要約】    【課題】操作画面を簡素化すると共に、高機能を有しても動作設定等の操作性を向上することができる画像形成システム及び画像形成装置を提供する。    【解決手段】画像形成システム１０は、ＭＦＰ側において、ユーザ・携帯側へＭＦＰ１００の持つジョブの機能情報を送信し、ユーザ・携帯側において、ＭＦＰ側からジョブの機能情報を受信すると共に、携帯端末の画面上に設定可能な機能のみを表示し、ユーザが機能を設定し、機能の設定が完了した際に、ジョブの設定情報をＭＦＰ側へ送信して、ＭＦＰ側において、ユーザ・携帯側からジョブの設定情報を受信すると、ジョブ設定の確認画面を表示して、ユーザによって機器の前で印刷を開始させるか再設定とさせるかの最終設定を行わせる。【選択図】      図１０
2007074162.tif 000002
【特許請求の範囲】
【請求項１】
所定のジョブの設定を行う操作部と、小型の表示部とを備える画像形成装置において、
ジョブの設定を行う携帯端末に前記所定のジョブの機能情報を送信する送信手段と、
前記送信された機能情報に基づいて前記携帯端末によって設定されたジョブを受信する受信手段と、
前記受信したジョブの設定を解析する解析手段と、
前記解析されたジョブの設定を前記携帯端末及び前記表示部の少なくとも一方に表示する表示手段とを備えることを特徴とする画像形成装置。
【請求項２】
前記表示手段による表示から前記解析されたジョブの設定を変更する変更手段を備えることを特徴とする請求項１記載の画像形成装置。
【請求項３】
前記変更手段による変更を前記携帯端末及び前記操作部のどちらで行わせるかを選択する選択手段を備えることを特徴とする請求項２記載の画像形成装置。
【請求項４】
前記携帯端末及び前記操作部のうち前記変更を行わない方での変更を遮断させる遮断手段を備えることを特徴とする請求項３記載の画像形成装置。
【請求項５】
前記携帯端末はケーブルによって接続されていることを特徴とする請求項１乃至４のいずれか１項に記載の画像形成装置。
【請求項６】
前記携帯端末は所定のネットワークを介して接続されていることを特徴とする請求項１乃至４のいずれか１項に記載の画像形成装置。
【請求項７】
請求項１乃至６のいずれか１項に記載の画像形成装置と、前記画像形成装置に接続されると共にジョブの設定を行う携帯端末とを備えることを特徴とする画像形成システム。
【請求項８】
前記携帯端末はケーブルによって接続されていることを特徴とする請求項７記載の画像形成システム。
【請求項９】
前記携帯端末は所定のネットワークを介して接続されていることを特徴とする請求項７記載の画像形成システム。
【発明の詳細な説明】
【技術分野】
【０００１】
本発明は、画像形成システム及び画像形成装置に関し、特に、携帯端末を利用して、ネットワーク上で接続されたマルチファンクションプリンタの動作等を設定する画像形成システム及び画像形成装置に関する。
【背景技術】
【０００２】
従来、携帯端末をマルチファンクションプリンタ（以下、「ＭＦＰ」という）にケーブル等又はネットワークを介して接続して、携帯端末内の情報をＭＦＰの持つネットワーク機能の設定等に活用することが行われている。また、携帯端末からプリント指示等を行う方法が提案されている（例えば、特許文献１参照）。
【０００３】
この携帯端末は、個人の好みによるカスタマイズ等が簡単に行えるために、操作画面のカスタマイズ等には最適であるが、画面が小さい等の理由により、有効活用する方法が提案されていない。
【０００４】
それでも、携帯電話用の液晶画面については、シングルファンクションプリンタ（以下、「ＳＦＰ」という）の操作画面より、はるかに高機能である。
【特許文献１】特許第３４７５１８８号公報
【発明の開示】
【発明が解決しようとする課題】
【０００５】
しかしながら、上記従来技術をＳＦＰを拡張したＭＦＰで用いた場合においては、操作パネルが小さく、また、タッチパネル等を備えていないので、操作性が良くなく、機能を有効に活用できないという問題がある。
【０００６】
また、上記システムを提供するメーカとしても、操作パネルを簡略化してコストを削減しながら、ユーザの利便性を向上する操作性の実現ができないという問題がある。
【０００７】
本発明の目的は、操作画面を簡素化すると共に、高機能を有しても動作設定等の操作性を向上することができる画像形成システム及び画像形成装置を提供することにある。
【課題を解決するための手段】
【０００８】
上記目的を達成するために、請求項１記載の画像形成装置は、所定のジョブの設定を行う操作部と、小型の表示部とを備える画像形成装置において、ジョブの設定を行う携帯端末に前記所定のジョブの機能情報を送信する送信手段と、前記送信された機能情報に基づいて前記携帯端末によって設定されたジョブを受信する受信手段と、前記受信したジョブの設定を解析する解析手段と、前記解析されたジョブの設定を前記携帯端末及び前記表示部の少なくとも一方に表示する表示手段とを備えることを特徴とする。
【０００９】
請求項７記載の画像形成システムは、請求項１乃至６のいずれか１項に記載の画像形成装置と、前記画像形成装置に接続されると共にジョブの設定を行う携帯端末とを備えることを特徴とする。
【発明の効果】
【００１０】
本発明によれば、画像形成装置は、ジョブの設定を行う携帯端末にジョブの機能情報を送信し、送信された機能情報に基づいて携帯端末によって設定されたジョブを受信し、受信したジョブの設定を解析してジョブの設定を携帯端末及び表示部の少なくとも一方に表示するので、普段から使い慣れている携帯端末によってジョブの設定を行わせることができ、操作画面を簡素化すると共に、高機能を有しても動作設定等の操作性を向上することができる。
【発明を実施するための最良の形態】
【００１１】
以下、本発明の実施の形態を図面を参照しながら詳述する。
【００１２】
図１は、本発明の実施の形態に係る画像形成システムの構成を概略的に示すブロック図である。
【００１３】
図１において、画像形成システム１０は、ＭＦＰ１００（画像形成装置）と、ＰＣＡ１３０と、ＰＣ１４０と、ＰＣ１５０と、インターネット１６０と、これらを互いに接続するローカルエリアネットワーク（ＬＡＮ）１２０と、インターネット１６０と接続されたＰＣ１７０とを備える。
【００１４】
ＭＦＰ１００は、スキャナ部１０１と、画像処理部１０２と、メモリ１０３と、プリンタ部１０４と、圧縮伸張処理部１０５と、外部Ｉ／Ｆ１０６と、画像蓄積部１１０と、これらに夫々接続されたデータパス制御部１０７とを備え、外部Ｉ／Ｆ１０６はＬＡＮ１２０に接続されている。
【００１５】
ＭＦＰ１００は、また、互いに接続された後述する図４の操作部１０８とＣＰＵ１０９とを備える。
【００１６】
スキャナ部１０１は、ＣＣＤにより原稿を光学的に読み取り、読み取った画像データをアナログ・デジタル変換することにより、ＲＧＢのデジタル画像信号とする。
【００１７】
画像処理部１０２は、デジタル化されたＲＧＢ画像信号を受信して、フィルタリング、色変換、変倍等の各種画像処理を行い、各出力先に応じた信号を送出する。例えば、カラー２値プリンタの場合はＣＭＹＫの２値画像信号を、カラー多値出力の場合は、各種画像処理を行った後、ＲＧＢ多値画像信号を送出する。これらの詳細は図２を用いて後述する。
【００１８】
メモリ１０３は、スキャナ部１０１からのＲＧＢ画像信号や、画像処理部１０２からの各種画像信号等、各種画像データを確保しておく部分で、ＲＡＭ等の記憶媒体等で構成されている。これにより、例えば、同一の画像データを複数枚出力を行うときに、スキャナ部１０１を複数回動作させることなく、メモリ１０３内に格納されている画像データを出力するので、プリンタ部１０４の処理時間が短縮できる。
【００１９】
プリンタ部１０４は、ＣＭＹＫ４色のインクを使用するカラー２値プリンタである。しかし、これに限らず、カラーの多値出力可能なカラープリンタや、モノクロのプリンタ等でもよい。
【００２０】
圧縮伸張処理部１０５は、ＲＧＢ多値画像データの圧縮伸張処理や、ＣＭＹＫ２値画像データの圧縮伸張処理等を行う部分となる。これらの詳細は図３を用いて後述する。
【００２１】
画像蓄積部１１０は、ハードディスクドライブ（以下、「ＨＤＤ」という）等の大容量の記憶媒体で構成され、複数の画像データをまとめて格納しておくことができると共に大量のデータが格納でき、それらの管理はＭＦＰ１００が行う。
【００２２】
外部Ｉ／Ｆ１０６は、各種画像データや制御用のコマンドの入出力を行うと共に、各種ネットワークのプロトコルに合った通信を行うためのインターフェース部分である。
【００２３】
データパス制御部１０７は、ＭＦＰ１００の動作に従って、各種処理部分の画像データのやり取りを行う。
【００２４】
ＣＰＵ１０９は、操作部１０８を介してユーザによって設定された動作モード等に基づいてＭＦＰ１００全体の動作を制御する。
【００２５】
ＰＣＡ１３０、ＰＣ１４０、ＰＣ１５０は、必要に応じてネットワーク上の各ＭＦＰや、他のＰＣ等とデータやメール等のやり取りを行い、ＭＦＰ１００のコントロールを行う。
【００２６】
ＰＣ１７０は、必要に応じてＬＡＮ１２０上の他のＰＣ等とデータやメール等のやり取りを行うことが可能である。
【００２７】
図２は、図１における画像処理部１０２の構成を概略的に示すブロック図である。
【００２８】
図２において、画像処理部１０２は、夫々直列に接続された入力Ｉ／Ｆ２０１、拡大縮小部２０２、エッジ強調部２０３、及び画像回転処理部２０４を備えると共に、同様に、夫々直列に接続された色空間変換部２０５、黒生成部２０６、出力色調整部２０７、及び２値化処理部２０８を備える。
【００２９】
画像処理部１０２は、また、画像回転処理部２０４及び２値化処理部２０８に夫々接続されたセレクタ２０９と、及びセレクタ２０９に接続された出力Ｉ／Ｆ２１０とを備える。
【００３０】
入力Ｉ／Ｆ２０１は、データパス制御部１０７によって入力される画像データを受け、内部の処理に合わせて変換を行うインターフェイスである。本実施の形態では、ＲＧＢ多値画像データが入力される。
【００３１】
拡大縮小部２０２は、入力されたＲＧＢ多値画像データを、出力するプリンタの解像度や出力する用紙サイズ等に合わせて解像度変換を行うことにより、拡大・縮小の処理を行う部分である。
【００３２】
エッジ強調部で２０３は、ｎ×ｍのエリアにおける加重演算を行うことにより、シャープネスの処理やスムージングの処理を行う部分である。
【００３３】
画像回転処理部２０４は、内蔵されたメモリ（不図示）に一度画像データを格納し、出力用紙に合わせて縦位置で入力された画像データを横位置の用紙に出力を行う場合等に、９０度回転等の画像回転処理を行う部分である。
【００３４】
色空間変換部２０５は、入力された画像データの色空間を他の色空間に変換する必要がある場合に処理を行う部分である。本実施の形態では、スキャナ部１０１から入力されたＲＧＢ多値画像データを、プリンタによって出力を行うＣＭＹ色空間にＬＯＧ変換を行う。
【００３５】
黒生成部２０６は、ＣＭＹの最低値をＫ信号値として抽出を行う部分である。
【００３６】
出力色調整部２０７は、ＣＭＹＫの各値をプリンタの特性に合わせて色味の調整及び濃度の調整を行う部分である。
【００３７】
２値化処理部２０８は、本実施の形態では、カラー２値プリンタ出力用のデータを作成するため、誤差拡散方等の２値変換処理を行うことにより、ＣＭＹＫ各１ビットの２値信号の出力を行う。
【００３８】
セレクタ２０９は、ＲＧＢ多値画像データとＣＭＹＫ２値画像データのどちらの出力を行うかの選択を行う部分となる。
【００３９】
出力Ｉ／Ｆ２１０は、セレクタ２０９によって選択された画像データを、データパス制御部１０７へ出力する際に、データパスを通す時のデータフォーマットに変換するインターフェイスである。本実施の形態では、ＣＭＹＫ２値画像データの出力を行う。
【００４０】
上記２０２〜２０９の各処理部の設定や動作に関しては、全てＣＰＵ１０９によって制御される。例えば、拡大縮小部の変倍率の設定、エッジ強調部のフィルタリングの係数、画像回転処理部の回転の有無や角度、及び２値化処理部の処理方法等は全てＣＰＵ１０９によって制御される。
【００４１】
図３は、図１における圧縮伸張処理部１０５の構成を概略的に示すブロック図である。
【００４２】
図３において、圧縮伸張処理部１０５は、入力Ｉ／Ｆ３０１と、入力Ｉ／Ｆ３０１に接続されたセレクタＡ３０２と、セレクタＡ３０２に夫々並列に接続された多値画像伸張処理部３０３、多値画像圧縮処理部３０４、２値画像伸張処理部３０５、及び２値画像圧縮処理部３０６を備える。
【００４３】
画像伸張処理部１０５は、また、多値画像伸張処理部３０３、多値画像圧縮処理部３０４、２値画像伸張処理部３０５、及び２値画像圧縮処理部３０６に夫々接続されたセレクタＢ３０７と、セレクタＢ３０７に接続された出力Ｉ／Ｆ３０８とを備える。
【００４４】
入力Ｉ／Ｆ３０１は、データパス制御部１０７によって入力された画像データを受け、出力するインターフェースである。
【００４５】
セレクタＡ３０２は、入力Ｉ／Ｆ３０１から入力された画像データが、多値の画像データの圧縮データであった場合には多値画像伸張処理部３０３へ、多値の画像データの非圧縮データであった場合には多値画像圧縮処理部３０４へ、２値の画像データの圧縮データであった場合には２値画像伸張処理部３０５へ、２値の画像データの非圧縮データであった場合には２値画像圧縮処理部３０６へと入力画像データの振り分けを行う。
【００４６】
多値画像伸張処理部３０３は、データ圧縮処理によって圧縮された多値画像データの伸張処理を行う。本実施の形態では、多値画像の圧縮・伸張処理の代表的なものとして、ＪＰＥＧの伸張処理をこの部分で行う。
【００４７】
多値画像圧縮処理部３０４は、例えば、スキャナ部１０１によって読み取られて入力されたＲＧＢの多値画像の非圧縮データの圧縮処理を行う。本実施の形態では、多値画像の圧縮・伸張処理の代表的なものとして、ＪＰＥＧの圧縮処理をこの部分で行う。
【００４８】
２値画像伸張処理部３０５は、データ圧縮処理によって圧縮された２値画像データの伸張処理を行う。本実施の形態では、２値画像の圧縮・伸張処理の代表的なものとして、ＪＢＩＧの伸張処理をこの部分で行う。
【００４９】
２値画像圧縮処理部３０６は、例えば、画像処理部１０２によって印刷用に処理されて入力されたＣＭＹＫの２値画像の生データの圧縮処理を行う。本実施の形態では、２値画像の圧縮・伸張処理の代表的なものとして、ＪＢＩＧの圧縮処理をこの部分で行う。
【００５０】
セレクタＢ３０７は、入力Ｉ／Ｆ３０１から入力された画像データが、多値の画像データの圧縮データであった場合には多値画像伸張処理部３０３からの入力を、多値の画像データの非圧縮データであった場合には多値画像圧縮処理部３０４からの入力を、２値の画像データの圧縮データであった場合には２値画像伸張処理部３０５からの入力を、２値の画像データの生データであった場合には２値画像圧縮処理部３０６からの入力を出力用の画像データとして、出力Ｉ／Ｆ３０８への出力を行う。
【００５１】
出力Ｉ／Ｆ３０８は、圧縮伸張処理部１０５の内部で処理された画像データをデータパス制御部１０７へ出力を行う。
【００５２】
図４は、図１における操作部１０８の操作面の構成を概略的に示す正面図である。
【００５３】
図４において、操作部１０８は、その操作面に液晶ディスプレイやタッチパネル方式の液晶ディスプレイ等を使用した表示部４０１と、後述する入力部４０２とを有する。
【００５４】
入力部４０２は、主に数字の入力を行う為のテンキーと、表示部に表示されるカーソルやモード選択を行う場合の移動を指示するカーソル移動キーと、コピー、ＳＥＮＤ、プリントの動作モードの設定を切り替えるモード設定キーと、動作のスタートを指示するスタートキーと、設定のクリアを行うクリアキーとから構成される。
【００５５】
以下、図５〜図９を用いて画像形成システム１０によって実行されるコピー、スキャン画像データの画像蓄積部への格納、及び画像蓄積部内の画像プリント等の基本的な動作の説明を行う。
【００５６】
図５は、図１の画像形成システム１０の構成を概略的に示すブロック図であり、通常コピー動作を実行する際の画像データの流れを示す。
【００５７】
図５において、まず、ユーザが操作部１０８から、コピー枚数や原稿の種類等のコピーモードを設定して、コピーの各種設定が終了した際に操作部１０８のスタートキーからコピーを実行する。
【００５８】
スキャナ部１０１によって読み取った原稿の画像データは、ＲＧＢ画像データとしてデータパス制御部１０７を介して画像処理部１０２に入力され、上記設定に応じた所定の画像処理が実行される（図中（１））。本実施の形態では、入力されたＲＧＢ画像データを、プリント出力用のＣＭＹＫ２値画像データへと画像処理を行う。
【００５９】
画像処理部１０２において画像処理が行われたＣＭＹＫ２値画像データは、データパス制御部１０７を介してメモリ１０３に格納される（図中（２））。
【００６０】
スキャナ部１０１によって読み取った原稿の画像データが全てメモリ１０３に格納された際に、ＣＭＹＫ２値画像データは、メモリ１０３から出力され、データパス制御部１０７を介してプリンタ部１０４に入力され印刷される（図中（３））。
【００６１】
複数枚コピーが設定されていた場合は、全枚数の出力が終了するまで、２枚目以降のプリントデータは、メモリ１０３から出力されて、印刷される。これにより、２枚目以降を印刷する際に、原稿を再度スキャンする必要がなくなる。
【００６２】
全枚数の印刷が終了した時点で、通常コピー動作は終了となる。
【００６３】
これらの動作に関する設定は、操作部１０８からユーザによって入力され、その設定がＣＰＵ１０９に伝達される（図中（４））。そして、ＣＰＵ１０９の制御信号（不図示）によって、ＭＦＰ１００を構成している各処理部分が動作する。
【００６４】
また、設定時の操作部１０８への画像表示やコピー動作実行時のＭＦＰ１００の動作状況（コピー終了枚数の表示等）は、ＣＰＵ１０９から操作部１０８へとデータが送られ、表示部によってユーザに表示される（図中（５））。
【００６５】
図６は、図１の画像形成システム１０の構成を概略的に示すブロック図であり、スキャン画像の画像蓄積部格納動作を実行する際の画像データの流れを示す。
【００６６】
図６において、ユーザが操作部１０８から、原稿の種類や画像蓄積部１１０内の格納すべきフォルダの選択等のモードを設定して、各種設定が終了した際に操作部１０８のスタートキーから動作を実行する。
【００６７】
スキャナ部１０１によって読み取った原稿の画像データは、ＲＧＢ画像データとしてデータパス制御部１０７を介して画像処理部１０２に入力され、上記設定に応じた所定の画像処理が実行される（図中（１））。本実施の形態では、入力されたＲＧＢ画像データを、画像蓄積部格納用のＲＧＢ多値画像データへと画像処理を行う。
【００６８】
画像処理部１０２において画像処理が行われた画像蓄積部格納用のＲＧＢ多値画像データは、データパス制御部１０７を介してメモリ１０３に格納される（図中（２））。
【００６９】
スキャナ部１０１によって読み取った原稿の画像データが全てメモリ１０３に格納された際に、画像蓄積部格納用のＲＧＢ多値画像データは、メモリ１０３から出力され、データパス制御部１０７を介して圧縮伸張処理部１０５に入力される（図中（３））。
【００７０】
圧縮伸張処理部１０５に入力された画像蓄積部格納用のＲＧＢ多値画像データは、ＲＧＢ多値の非圧縮の画像データであるため、圧縮伸張処理部１０５によってＲＧＢ多値画像データのＪＰＥＧ圧縮処理が行われ、画像蓄積部格納用の画像データとして、データパス制御部１０７に出力され、画像蓄積部１１０の指定されたフォルダ内に格納される（図中（４））。
【００７１】
これらの動作に関する設定は、操作部１０８からユーザによって入力され、その設定がＣＰＵ１０９に伝達される（図中（５））。そして、ＣＰＵ１０９の制御信号（不図示）によって、ＭＦＰ１００を構成している各処理部分が動作する。
【００７２】
また、設定時の操作部１０８への画像表示や動作実行時のＭＦＰ１００の動作状況は、ＣＰＵ１０９から操作部１０８へとデータが送られ、表示部によってユーザに表示される（図中（６））。
【００７３】
図７は、図１の画像形成システム１０の構成を概略的に示すブロック図であり、画像蓄積部格納画像プリント動作を実行する際の画像データの流れを示す。
【００７４】
図７において、まず、ユーザが操作部１０８から、出力すべき画像データが格納されている画像蓄積部１１０内のフォルダの指定や出力すべき画像の指定、印刷出力時の各種モードを設定して、各種設定が終了した際に操作部１０８のスタートキーから動作を実行する。
【００７５】
上記設定された画像蓄積部１１０内に格納された画像データは、ＪＰＥＧ圧縮されたＲＧＢデータとして、データパス制御部１０７を介して圧縮伸張処理部１０５へ入力される（図中（１））。
【００７６】
圧縮伸張処理部１０５に入力されたＲＧＢ多値画像データは、ＲＧＢ多値のＪＰＥＧ圧縮の画像データであるため、圧縮伸張処理部１０５によってＲＧＢ多値画像データのＪＰＥＧ伸張処理が行われ、データパス制御部１０７に出力され、画像処理部１０２へ入力され、上記設定に応じた所定の画像処理が実行される（図中（２））。本実施の形態では、入力されたＲＧＢ多値画像データを、プリント出力用のＣＭＹＫ２値画像データへと画像処理を行う。
【００７７】
画像処理部１０２において画像処理が行われたＣＭＹＫ２値画像データは、データパス制御部１０７を介してメモリ１０３に格納される（図中（３））。
【００７８】
原稿の画像データが全てメモリ１０３に格納された際に、ＣＭＹＫ２値画像データは、メモリ１０３から出力され、データパス制御部１０７を介してプリンタ部１０４に入力され印刷される（図中（４））。
【００７９】
複数枚印刷が設定されていた場合は、全枚数の出力が終了するまで、２枚目以降のプリントデータは、メモリ１０３から出力されて、印刷される。これにより、２枚目以降を印刷する際に、出力データを再度画像蓄積部１１０から出力し、画像処理を行う必要がなくなる。
【００８０】
全枚数の印刷が終了した時点で、プリント動作は終了となる。
【００８１】
これらの動作に関する設定は、操作部１０８からユーザによって入力され、その設定がＣＰＵ１０９に伝達される（図中（５））。そして、ＣＰＵ１０９の制御信号（不図示）によって、ＭＦＰ１００を構成している各処理部分が動作する。
【００８２】
また、設定時の操作部１０８への画像表示やプリント動作実行時のＭＦＰ１００の動作状況（プリント終了枚数の表示等）は、ＣＰＵ１０９から操作部１０８へとデータが送られ、表示部によってユーザに表示される（図中（６））。
【００８３】
図８は、図１の画像形成システム１０の構成を概略的に示すブロック図であり、スキャン画像送信動作を実行する際の画像データの流れを示す。
【００８４】
図８において、まず、ユーザが操作部１０８から、画像データの送信先のアドレスや、送信する時の画像データの処理に関する設定等のモードを設定して、各種設定が終了した際に操作部１０８のスタートキーから動作を実行する。本実施の形態では、送信先としてＬＡＮ１２０上のＰＣ１４０と、ＰＣ１５０と、インターネット１６０を介して接続されたＰＣ１７０とを設定する。
【００８５】
スキャナ部１０１によって読み取った原稿の画像データは、ＲＧＢ画像データとしてデータパス制御部１０７を介して画像処理部１０２に入力され、上記設定に応じた所定の画像処理が実行される（図中（１））。本実施の形態では、入力されたＲＧＢ画像データを、メール添付用のＲＧＢ多値画像データへと画像処理を行う。
【００８６】
画像処理部１０２において画像処理が行われたメール添付用のＲＧＢ多値画像データは、データパス制御部１０７を介してメモリ１０３に格納される（図中（２））。
【００８７】
スキャナ部１０１によって読み取った原稿の画像データが全てメモリ１０３に格納された際に、メール添付用のＲＧＢ多値画像データは、メモリ１０３から出力され、データパス制御部１０７を介して圧縮伸張処理部１０５に入力される（図中（３））。
【００８８】
圧縮伸張処理部１０５に入力されたメール添付用のＲＧＢ多値画像データは、ＲＧＢ多値の非圧縮の画像データであるため、圧縮伸張処理部１０５によってＲＧＢ多値画像データのＪＰＥＧ圧縮処理が行われ、ＲＧＢ多値のＪＰＥＧ画像データは、メール添付用の画像データとして、データパス制御部１０７に出力され、外部Ｉ／Ｆ１０６に入力される（図中（４））。
【００８９】
外部Ｉ／Ｆ１０６に入力されたＲＧＢ多値のＪＰＥＧ画像データは、ユーザによる操作部１０８からの設定により予め作成されているメールの添付データとしての処理が行われ、ＬＡＮ１２０上へ出力される（図中（５））。
【００９０】
ＭＦＰ１００の外部Ｉ／Ｆ１０６から出力された添付データ付きのメールは、通常のメールと同様に、ＬＡＮ１２０上を経由して、送信先として設定されたＬＡＮ１２０上のＰＣ１４０、ＰＣ１５０に送信される（図中（６））。
【００９１】
また、上記添付データ付きのメールは、送信先がＬＡＮ１２０上ではなく外部のＰＣ１７０である場合においても、通常のメールと同様に、インターネット１６０を通じて、ＰＣ１７０に送信される（図中（７））。
【００９２】
これらの動作に関する設定は、操作部１０８からユーザによって入力され、その設定がＣＰＵ１０９に伝達される（図中（８））。そして、ＣＰＵ１０９の制御信号（不図示）によって、ＭＦＰ１００を構成している各処理部分が動作する。
【００９３】
また、設定時の操作部１０８への画像表示や送信動作実行時のＭＦＰ１００の動作状況は、ＣＰＵ１０９から操作部１０８へとデータが送られ、表示部によってユーザに表示される（図中（９））。
【００９４】
図９は、図１の画像形成システム１０の構成を概略的に示すブロック図であり、画像蓄積部格納画像送信動作を実行する際の画像データの流れを示す。
【００９５】
図９において、まず、ユーザが操作部１０８から、出力すべき画像データが格納されている画像蓄積部１１０内のフォルダの指定や出力すべき画像の指定、ＳＥＮＤ送信時の各種画像処理モードを設定して、各種設定が終了した際に操作部１０８のスタートキーから動作を実行する。
【００９６】
上記設定された画像蓄積部１１０内に格納された画像データは、ＪＰＥＧ圧縮されたＲＧＢデータとして、データパス制御部１０７を介して圧縮伸張処理部１０５へ入力される（図中（１））。
【００９７】
圧縮伸張処理部１０５に入力されたＲＧＢ多値画像データは、ＲＧＢ多値のＪＰＥＧ圧縮の画像データであるため、圧縮伸張処理部１０５によってＲＧＢ多値画像データのＪＰＥＧ伸張処理が行われ、データパス制御部１０７に出力され、画像処理部１０２へ入力され、上記設定に応じた所定の画像処理が実行される（図中（２））。本実施の形態では、入力されたＲＧＢ多値画像データを、ＲＧＢ多値のＳＥＮＤ用画像データへと画像処理を行う。
【００９８】
画像処理部１０２において画像処理が行われたＲＧＢ多値画像データは、データパス制御部１０７を介してメモリ１０３に格納される（図中（３））。
【００９９】
原稿の画像データが全てメモリ１０３に格納された際に、ＲＧＢ多値画像データは、メモリ１０３から出力され、データパス制御部１０７を介して再び圧縮伸張処理部１０５へと入力される（図中（４））。
【０１００】
圧縮伸張処理部１０５に入力されたＲＧＢ多値画像データは、ＲＧＢ多値の非圧縮の画像データであるため、圧縮伸張処理部１０５によってＲＧＢ多値画像データのＪＰＥＧ圧縮処理が行われ、ＲＧＢ多値のＪＰＥＧ画像データは、メール添付用の画像データとして、データパス制御部１０７に出力され、外部Ｉ／Ｆ１０６に入力される（図中（５））。
【０１０１】
外部Ｉ／Ｆ１０６に入力されたＲＧＢ多値のＪＰＥＧ画像データは、ユーザによる操作部１０８からの設定により予め作成されているメールの添付データとしての処理が行われ、ＬＡＮ１２０上へ出力される（図中（６））。
【０１０２】
ＭＦＰ１００の外部Ｉ／Ｆ１０６から出力された添付データ付きのメールは、通常のメールと同様に、ＬＡＮ１２０上を経由して、送信先として設定されたＬＡＮ１２０上のＰＣ１４０、ＰＣ１５０に送信される（図中（７））。
【０１０３】
また、上記添付データ付きのメールは、送信先がＬＡＮ１２０上ではなく外部のＰＣ１７０である場合においても、通常のメールと同様に、インターネット１６０を通じて、ＰＣ１７０に送信される（図中（８））。
【０１０４】
これらの動作に関する設定は、操作部１０８からユーザによって入力され、その設定がＣＰＵ１０９に伝達される（図中（９））。そして、ＣＰＵ１０９の制御信号（不図示）によって、ＭＦＰ１００を構成している各処理部分が動作する。
【０１０５】
また、設定時の操作部１０８への画像表示や送信動作実行時のＭＦＰ１００の動作状況は、ＣＰＵ１０９から操作部１０８へとデータが送られ、表示部によってユーザに表示される（図中（１０））。
【０１０６】
以下、本発明の実施の形態に係る携帯端末を用いた画像形成システムの動作設定について詳述する。
【０１０７】
本実施の形態では、携帯端末はＭＦＰにケーブル等又はＬＡＮを介して接続されている。
【０１０８】
本実施の形態では、ＭＦＰの操作画面に数行の文字列や一部の記号のみを表示させ、携帯端末が操作画面の肩代わり機能を実現している。
【０１０９】
図１０は、図１の画像形成システムによって実行される設定処理の手順を示すフローチャートである。
【０１１０】
図１０において、まず、ユーザ・携帯側において、ユーザが携帯端末でログインする（ステップＳ１００１）。このとき、携帯端末上には専用のアプリケーションソフトによって、個人専用の設定画面がカスタマイズされており、ユーザによる設定自体が簡単である。
【０１１１】
次いで、ＭＦＰ側において、ユーザによる携帯端末からのログインを許可して（ステップＳ１００２）、ユーザ・携帯側へＭＦＰ１００の持つジョブの機能情報を送信する（ステップＳ１００３）（送信手段）。
【０１１２】
次いで、ユーザ・携帯側において、ＭＦＰ側からジョブの機能情報を受信すると共に、携帯端末の画面上に設定可能な機能のみを表示し、ユーザが機能を設定し（図１１）（ステップＳ１００４）、機能の設定が完了した際に、ジョブの設定情報をＭＦＰ側へ送信する（ステップＳ１００５）。
【０１１３】
次いで、ＭＦＰ側において、ユーザ・携帯側からジョブの設定情報を受信すると（受信手段）、他のジョブ設定を受け付けているか否かを判別する（ステップＳ１００６）。
【０１１４】
ステップＳ１００６の判別の結果、他のジョブ設定を受け付けているときは、ユーザ・携帯側において、携帯端末の画面上にユーザのジョブ内容の受付を待たせる旨（待機状態）を表示して（ステップＳ１０１０）、他のジョブ設定の受付が終了すると（ステップＳ１０１１でＹＥＳ）、ユーザによって機器の前で印刷を開始させるか再設定とさせるかの最終設定を行う（図１２）（ステップＳ１０１２）。
【０１１５】
ステップＳ１００６の判別の結果、他のジョブ設定を受け付けていないときは、ジョブ設定の確認画面を表示して（ステップＳ１０６０）（解析手段）（表示手段）、次の動作の選択を促し（ステップＳ１０６１）、ステップＳ１０１２以降の処理を実行する。
【０１１６】
ステップＳ１０１２の処理を実行している際に、他のユーザが離れた場所から携帯端末で他のジョブを設定している場合においては、設定中のユーザがいることを表示しながら、ユーザがＭＦＰの前で処理を実行することができる。
【０１１７】
逆に、ＭＦＰの前で他のユーザがジョブを設定している場合は、携帯端末にジョブの設定は受け付けたが他のジョブの設定中であることを表示する。そして、ジョブ設定の予約のみを行うかどうかをユーザに問い合わせ、予約のみを行うときは、他のユーザのジョブ設定が終了し、ＭＦＰの前を離れたことを確認してから、携帯端末に対してジョブ設定を継続することが可能である旨を通知することも可能である。
【０１１８】
また、ジョブ設定をＭＦＰの前で見直し又は変更する必要がなければ、そのままジョブスタート指示を携帯端末から送信して、ＭＦＰの前で設定をやり直しているユーザのジョブを飛び越すことも可能である。
【０１１９】
ステップＳ１０１２の設定の結果、再設定とするとき、ユーザによって再設定を携帯端末で入力させるかＭＦＰ１００の操作部１０８によって直接入力させるかを選択でき（ステップＳ１０２０）（変更手段）、携帯端末で入力させるときは、ユーザが携帯端末から設定を入力して（図１５）（ステップＳ１０２１）、ユーザ・携帯側において、ステップＳ１００５以降の処理を実行して、ＭＦＰの操作画面上に最終確認画面を表示させ（図１６（Ｂ））、ＭＦＰ１００の操作部１０８によって直接入力させるときは、ユーザが直接設定を入力して（図１３、図１４）（ステップＳ１０２２）、ＭＦＰ側において、ステップＳ１０６０以降の処理を実行して、ＭＦＰの操作画面上に最終確認画面を表示させる（図１６（Ａ））。
【０１２０】
ステップＳ１０２０の選択は、ジョブの再設定内容が、複雑な設定変更であれば操作のなれた携帯端末で設定し、簡単な設定変更であればＭＦＰの操作部からでも設定できることによるものである。
【０１２１】
ステップＳ１０１２の設定の結果、印刷開始とするときは、印刷開始のスタートボタンを押下して（ステップＳ１０３０）、ＭＦＰ側において、印刷等を開始して（ステップＳ１０７０）、印字が終了すると（ステップＳ１０８０）、ＭＦＰ側においては、次のジョブが有るか否かを判別し（ステップＳ１０９０）、次のジョブが有るときは、ステップＳ１００６以降の処理を実行し、次のジョブが無いときは、本処理を終了し、ユーザ・携帯側においては、ジョブ完了を表示して（ステップＳ１０４０）、次のジョブが有るか否かを判別し（ステップＳ１０５０）、次のジョブが有るときは、ステップＳ１００４以降の処理を実行し、次のジョブが無いときは、本処理を終了する。
【０１２２】
上記ステップＳ１００４では、具体的に、図１１に示すように、ユーザは「Ｃｏｐｙ」を選択すると、より深い階層の設定に移り、コピー枚数「１０枚」、「カラーコピー」、及びフィニッシング処理として「２ｉｎ１」を選択し、ＯＫボタンを選択する。
【０１２３】
上記ステップＳ１０１２では、具体的に、図１２に示すように、ＭＦＰの表示部に、ユーザＩＤ、設定内容、及び次の動作指示を表示させ、ユーザは、この設定でコピーをスタートさせる場合には「スタートキー」を押下し、設定をやり直す場合は表示部に従って「テンキー」を押下する。この場合、本体で設定をやり直すときは「０」を、携帯端末で設定をやり直すときは「１」を押下する。
【０１２４】
ここでは、設定やり直しの情報送信先が選択可能な状態であり、ＭＦＰの操作画面と携帯端末に同時に同じ情報を送信して、どちらか一方で設定を変更し始めたら、もう一方のインターフェースに排他制御を行い、設定を変更できなくすることも可能である。
【０１２５】
また、ジョブ設定中の先着ユーザがいる場合は、携帯端末からＭＦＰに能動的にアクセスを行って、設定をやり直すためのジョブＩＤを渡して、その情報を得て、携帯端末のみで設定をやり直すことも可能である。
【０１２６】
上記ステップＳ１０２２では、具体的に、図１３に示すように、ユーザは、ＭＦＰ本体のテンキーと設定変更内容の表示により、（Ａ）では変更したい設定を選択することができ、ここではプリント枚数の設定変更を選択し、（Ｂ）ではプリント枚数を「１０枚」から「５枚」に変更し、（Ｃ）では設定変更の終了を選択する。
【０１２７】
また、図１４に示すように、ユーザは、ＭＦＰ本体の上下キーと設定変更内容の表示により、（Ａ），（Ｂ）では変更したい設定を選択することができ、ここでもプリント枚数の設定変更を選択し、（Ｃ），（Ｄ）ではプリント枚数を「１０枚」から「５枚」に変更する。
【０１２８】
上記ステップＳ１０２１では、具体的に、図１５に示すように、ユーザは、携帯端末で設定を変更することができ、ここでは、プリント枚数を「１０枚」から「５枚」に変更し、「カラーコピー」から「白黒コピー」に変更し、フィニッシング処理を「２ｉｎ１」から「４ｉｎ１」に変更する。
【０１２９】
図１０の画像形成システムの設定処理によれば、ユーザ・携帯側において、ＭＦＰ側から機能情報を受信すると共に、携帯端末の画面上に設定可能な機能のみを表示し、ユーザが機能を設定し（ステップＳ１００４）、機能の設定が完了した際に、設定情報をＭＦＰ側へ送信し（ステップＳ１００５）、ユーザによって機器の前で印刷を開始させるか再設定とさせるかの最終設定を行うので（ステップＳ１０１２）、操作画面を簡素化すると共に、高機能を有しても動作設定等の操作性を向上することができる。
【図面の簡単な説明】
【０１３０】
【図１】本発明の実施の形態に係る画像形成システムの構成を概略的に示すブロック図である。
【図２】図１における画像処理部の構成を概略的に示すブロック図である。
【図３】図１における圧縮伸張処理部の構成を概略的に示すブロック図である。
【図４】図１における操作部の操作面の構成を概略的に示す正面図である。
【図５】図１の画像形成システムの構成を概略的に示すブロック図であり、通常コピー動作を実行する際の画像データの流れを示す。
【図６】図１の画像形成システムの構成を概略的に示すブロック図であり、スキャン画像の画像蓄積部格納動作を実行する際の画像データの流れを示す。
【図７】図１の画像形成システムの構成を概略的に示すブロック図であり、画像蓄積部格納画像プリント動作を実行する際の画像データの流れを示す。
【図８】図１の画像形成システムの構成を概略的に示すブロック図であり、スキャン画像送信動作を実行する際の画像データの流れを示す。
【図９】図１の画像形成システムの構成を概略的に示すブロック図であり、画像蓄積部格納画像送信動作を実行する際の画像データの流れを示す。
【図１０】図１の画像形成システムによって実行される設定処理の手順を示すフローチャートである。
【図１１】図１０のステップＳ１００４において携帯端末の画面上に表示される「機能設定」の具体例を説明するのに用いられる図である。
【図１２】図１０のステップＳ１０１２において操作部に表示される「最終設定」の具体例を説明するのに用いられる図である。
【図１３】図１０のステップＳ１０２２において操作部に表示される「変更設定」の具体例を説明するのに用いられる図である。
【図１４】図１０のステップＳ１０２２において操作部に表示される「変更設定」の具体例を説明するのに用いられる図である。
【図１５】図１０のステップＳ１０２１において携帯端末の画面上に表示される「変更設定」の具体例を説明するのに用いられる図である。
【図１６】図１０のステップＳ１０１２において操作部に表示される「最終確認画面」の具体例を説明するのに用いられる図である。
【符号の説明】
【０１３１】
１０  画像形成システム
１００  ＭＦＰ
１０２  画像処理部
１０５  圧縮伸張処理部
１０８  操作部
１０９  ＣＰＵ
【図１】
2007074162.tif 000003
【図２】
2007074162.tif 000004
【図３】
2007074162.tif 000005
【図４】
2007074162.tif 000006
【図５】
2007074162.tif 000007
【図６】
2007074162.tif 000008
【図７】
2007074162.tif 000009
【図８】
2007074162.tif 000010
【図９】
2007074162.tif 000011
【図１０】
2007074162.tif 000012
【図１１】
2007074162.tif 000013
【図１２】
2007074162.tif 000014
【図１３】
2007074162.tif 000015
【図１４】
2007074162.tif 000016
【図１５】
2007074162.tif 000017
【図１６】
2007074162.tif 000018